(57)【特許請求の範囲】
【請求項１】
被摺擦対象物を摺擦する摺擦面を有する摺擦部、
前記摺擦部に連結された柄、
を備え、
前記柄をテーブルナイフ把持法で把持した時に、前記摺擦面の反対側の面に摺擦力付与指をおくことができる摺擦力付与指載置部を有する柄付き摺擦具であって、
前記柄および前記摺擦部はシリコン樹脂で構成されており、
前記柄は、前記シリコン樹脂の内部に埋め込まれた芯材により、前記摺擦力付与指載置部を前記摺擦力付与指で押圧した力が前記柄を把持している指に伝わるような硬度を有すること、
を特徴とする柄付き摺擦具。
【請求項２】
被摺擦対象物を摺擦する摺擦面を有する摺擦部、
前記摺擦部に連結された柄、
を備え、
前記柄をテーブルナイフ把持法で把持した時に、前記摺擦面の反対側の面に摺擦力付与指をおくことができる摺擦力付与指載置部を有する柄付き摺擦具であって、
前記柄および前記摺擦部はシリコン樹脂で構成されており、
前記柄には、前記摺擦力付与指載置部を前記摺擦力付与指で押圧した力を前記柄を把持している指に伝える芯材が埋め込まれていること、
を特徴とする柄付き摺擦具。
【請求項３】
請求項１または請求項２の柄付き摺擦具において、
前記芯材は、前記摺擦力付与指載置部のほぼ中央あたりまで達しており、それよりも先には存在しないこと、
を特徴とする柄付き摺擦具。
【発明の詳細な説明】
【技術分野】
【０００１】
この発明は、柄付き摺擦具に関し、特に、その小型化に関する。
【背景技術】
【０００２】
特許文献１には、 シリコン樹脂製のたわしが開示されている。
【先行技術文献】
【特許文献】
【０００３】
【特許文献１】特開2007-244555号公報
【発明の概要】
【発明が解決しようとする課題】
【０００４】
しかし、上記特許文献１に記載のたわしでは、細かな部分を洗いにくい、さらに、小さな汚れがたわしの陰となって見えにくいという問題があった。かかる問題を解決するために、外形を小さくすることも考えられるが、そうすると摺擦する力が弱くなるという問題がある。
【０００５】
この発明は、上記の問題点を解決して、作業性を低下することなく摺擦する力を強くすることができる柄付き摺擦具を提供することを目的とする。
【課題を解決するための手段】
【０００６】
(1)本発明にかかる柄付き摺擦具は、被摺擦対象物を摺擦する摺擦面を有する摺擦部、前記摺擦部に連結された柄、を備え、前記柄をテーブルナイフ把持法で把持した時に、前記摺擦面の反対側の面に摺擦力付与指をおくことができる摺擦力付与指載置部を有する柄付き摺擦具であって、前記柄および前記摺擦部はシリコン樹脂で構成されており、前記柄は、前記シリコン樹脂の内部に埋め込まれた芯材により、前記摺擦力付与指載置部を前記摺擦力付与指で押圧した力が前記柄を把持している指に伝わるような硬度を有する。したがって、シリコン樹脂の硬度を調整することにより、前記摺擦力付与指載置部から、前記摺擦面に対して、圧力をかけつつ、摺擦することができる。
【０００７】
(2)本発明にかかる柄付き摺擦具は、被摺擦対象物を摺擦する摺擦面を有する摺擦部、前記摺擦部に連結された柄、を備え、前記柄をテーブルナイフ把持法で把持した時に、前記摺擦面の反対側の面に摺擦力付与指をおくことができる摺擦力付与指載置部を有する柄付き摺擦具であって、前記柄および前記摺擦部はシリコン樹脂で構成されており、前記柄には、前記摺擦力付与指載置部を前記摺擦力付与指で押圧した力を前記柄を把持している指に伝える芯材が埋め込まれている。したがって、シリコン樹脂の硬度を調整することにより、前記摺擦力付与指載置部から、前記摺擦面に対して、圧力をかけつつ、摺擦することができる。
【０００８】
(3)本発明にかかる柄付き摺擦具においては、前記芯材は、前記摺擦力付与指載置部のほぼ中央あたりまで達しており、それよりも先には存在しない。したがって、前記芯材が存在しない領域が適度にしなることにより、指先でこするような感じで摺擦することができる。
【０００９】
(4)本発明にかかる柄付き摺擦具を用いた洗浄方法は、被摺擦対象物を摺擦する摺擦面を有する摺擦部と、前記摺擦部に連結された柄とを備えた柄付き摺擦具を用いた洗浄方法であって、前記柄をテーブルナイフ把持法で把持し、前記摺擦面の反対側の面に設けられた摺擦力付与指載置部に摺擦力付与指をおいて、前記摺擦面を前記被摺擦対象物に押圧しつつ摺擦する。したがって、摺擦面を小さくした場合であっても、前記摺擦力付与指載置部から、前記摺擦面に対して、圧力をかけつつ、摺擦することができる。また、前記柄を把持できる。
【００１０】
(5)本発明にかかる柄付き摺擦具においては、被摺擦対象物を摺擦する摺擦面を有する摺擦部、前記摺擦部に連結された柄、を備え、前記柄を把持した手で、前記摺擦面を前記摺擦対象物に押しつける力を与えるように前記柄に押圧力を付与したときに、前記摺擦部の一部は撓む程度の硬度で前記摺擦部が構成されている。したがって、操作性のよい摺擦が可能となる。
【００１１】
本明細書において、「テーブルナイフ把持法」とは、図５に一例として示すように、１本の指を、他の把持する指よりも伸ばすことにより、把持される対象物の一端に押圧力を与えやすくするように把持する手法をいう。図５においては人差し指を伸ばした場合について説明したが、これに限定されない。また、前記摺擦力付与指載置部に載置する指と、他の指との距離は、図５よりも小さくなるようにしてもよい。
【図面の簡単な説明】
【００１２】
【図１】洗濯ブラシ１の平面、および上面を示す図である。
【図２】図１におけるA−A断面図、B矢視図である。
【図３】図２におけるE矢視図である。
【図４】図１におけるD矢視図である。
【図５】洗濯ブラシ１の使用状態示す図である。
【発明を実施するための形態】
【００１３】
本発明における１実施形態について、図面を参照して説明する。柄付き摺擦具である洗濯ブラシ１の外観図を図１に示す。
【００１４】
図１に示すように、洗濯ブラシ１は、シリコン樹脂で構成されており、柄３および摺擦部であるブラシ部４で構成されている。ブラシ部４は、凹凸が形成されたブラシ面７および、ブラシ面７の反対側に設けられた凹部５で構成されている。ブラシ面７の形状は図１Ｂおよび図３に示すように、先端７ａは他端７ｂに比べると、溝の深さが小さい。凹部５は、図１Ｂおよび図２Ａに示すように、テーブルナイフ把持法で把持したときに、人差し指を載置できるように凹部となっている。柄３はテーブルナイフ把持法で把持したときに、把持した指にフィットしやすいように少し湾曲している。凹部５の大きさは、女性の人差し指をおいたときにほぼ、人差し指と同じ程度である。すなわち、ブラシ部４の幅は、人差し指よりも大きい。
【００１５】
また、洗濯ブラシ１は、図４に示すように、内部に板状で湾曲した柄に沿う形状の芯材９が内蔵されている。芯材９の一端は、ブラシ面７のほぼ中央近傍に位置し、他端は、柄３に設けられた貫通穴３Ｃよりも手前に位置する。芯材９の両端が端部近傍まで達していないのは、ブラシ部４がシリコン樹脂で構成されているので、芯材９がその端部近傍まで存在すると、心材９がシリコン樹脂から飛び出してくるおそれがあるためである。
【００１６】
洗濯ブラシ１の使用方法について、図５を用いて説明する。人差し指の先端１３を凹部５において、ブラシ面７の先端７ａで被摺擦対象物を摺擦する。そのとき、芯材９の一端がブラシ面７のほぼ中央近傍よりも端部側７ａには存在しない。したがって、先端７ａはシリコン樹脂だけであるので、指先でこするような感じで摺擦することができる。また、人差し指の先端１３を凹部５の柄よりに少しずらすことにより、先端７ａの先端を支点として、凹部５の人差し指１３を置く部分を力点として、ブラシ面７を作用点として機能させて、摺擦することができる。また、摺擦するときに、柄３のうち、親指が位置するあたり３ａと、小指が位置する辺り３ｂを保持することができる。
【００１７】
本実施形態においては、芯材９を鉄で構成したがこれに限定されない。
【００１８】
（５.他の実施形態）
上記実施形態においては、柄と直交する方向にブラシ面７の凹凸が形成されている場合について説明したが、これに限定されない。
【００１９】
本実施形態においては、洗濯ブラシ１をシリコン樹脂で構成したが、弾性があればよく、例えばゴムなどで構成してもよい。
【００２０】
本実施形態においては、ブラシ部の摺擦力付与指載置部を、凹部５で構成した場合について説明したが、摺擦力を付与できる形状であってもよい。
【００２１】
本実施形態においては，洗濯ブラシ１をテーブルナイフ把持法で把持する場合について説明したが、洗濯ブラシ１の把持方法はこれに限定されず、例えば、ペン軸把持法、バイオリン弓把持法などを採用することもできる。かかる把持方法であっても、ブラシ面７の芯材９が存在しない領域が適度にしなるので、力を入れやすいという効果がある。
【図１】
0005658712.tif 000002
【図２】
0005658712.tif 000003
【図３】
0005658712.tif 000004
【図４】
0005658712.tif 000005
【図５】
0005658712.tif 000006